(57)【要約】【課題】蛍光体の劣化防止と、蛍光体への励起光の十分な供給の２つの要求を同時に満たす。【解決手段】蛍光発光装置１は、半導体発光素子２と蛍光体ＰＨとの間に、短波長域では励起光の波長域を通過させ、長波長域では可視光を反射させる光学帯域通過フィルタＦＡを設けることによって、蛍光体の劣化防止と、蛍光体への励起光の十分な供給の要求を同時に満たす。蛍光発光装置１は、励起光を発光する半導体発光素子と、近紫外域の波長の励起光によって励起され、可視光域の波長の光を発光する蛍光体層ＰＨと、半導体発光素子２と蛍光体層ＰＨとの間の光路上に設けた励起光の波長を通過域とする光学帯域通過フィルタＦＡとを備える。光学帯域通過フィルタＦＡは、短波長域の波長をカットオフすることにより紫外域の波長を反射させるとともに励起波長を通過させ、長波長域の波長をカットオフすることにより可視光の波長を反射させるとともに光近紫外域の波長を通過させる。【選択図】図１
2008010518.tif 000002
【特許請求の範囲】
【請求項１】
励起光を発光する半導体発光素子と、
近紫外域の波長の励起光によって励起され、可視光域の波長の光を発光する蛍光体層と、
半導体発光素子と蛍光体層との間の光路上に設けた前記励起光の波長を通過域とする光学帯域通過フィルタとを備え、
前記光学帯域通過フィルタは、複数の高屈折率材料層と低屈折率材料層を交互に積層してなる誘電体多層膜であり、
短波長域の波長をカットオフすることにより紫外域の波長を反射させるとともに励起波長を通過させ、
長波長域の波長をカットオフすることにより可視光の波長を反射させるとともに光近紫外域の波長を通過させる
ことを特徴とする、蛍光発光装置。
【請求項２】
前記光学帯域通過フィルタは、
励起光に対する反射率が紫外域の波長光に対する反射率よりも低いフィルタを構成する第１の誘電体多層膜と、
励起光に対する反射率が可視光に対する反射率よりも低いフィルタを構成する第２の誘電体多層膜とを、
半導体発光素子と蛍光体層との間の光路上に設けたことを特徴とする、請求項１に記載の蛍光発光装置。
【請求項３】
前記光学帯域通過フィルタは、
石英基板を挟んでその両側に前記第１の誘電体多層膜と前記第２の誘電体多層膜とを形成してなることを特徴とする、請求項２に記載の蛍光発光装置。
【請求項４】
前記光路上において、半導体発光素子および蛍光体層に対する第１の誘電体多層膜と第２の誘電体多層膜の配置順は任意であることを特徴とする、請求項２又は３に記載の蛍光発光装置。
【請求項５】
前記光学帯域通過フィルタは蛍光体層とともに積層体を形成することを特徴とする、請求項１から４のいずれか一つに記載の蛍光発光装置。
【請求項６】
基板とケーシングとからなる気密容器を備え、
前記基板に、半導体発光素子を支持させ、
前記ケーシングに設けた少なくとも窓部に、光学帯域通過フィルタと蛍光体層との積層体を、蛍光体層を外側にして設けることを特徴とする、請求項１から５のいずれか一つに記載の蛍光発光装置。
【請求項７】
基板とケーシングとからなる気密容器を備え、
前記基板に、半導体発光素子を支持させ、
半導体発光素子の表面に光学帯域通過フィルタを形成することを特徴とする、請求項１から５のいずれか一つに記載の蛍光発光装置。
【請求項８】
反射板とケーシングとからなる気密容器を備え、
前記気密容器内に設けた支持部材に、発光面が反射板に向かう方向に半導体発光素子を支持させ、
前記ケーシングに設けた少なくとも窓部に、光学帯域通過フィルタと蛍光体層との積層体を、蛍光体層を外側にして設け、
反射面で反射させた半導体発光素子の発光を光学帯域通過フィルタを通すことを特徴とする、請求項１から５のいずれか一つに記載の蛍光発光装置。
【請求項９】
反射板とケーシングとからなる気密容器を備え、
前記気密容器内に設けた支持部材に、発光面が反射板に向かう方向に半導体発光素子を支持させ、
半導体発光素子の表面に光学帯域通過フィルタを形成し、
光学帯域通過フィルタを通した半導体発光素子の発光を反射面で反射させた後、蛍光体層に通すことを特徴とする、請求項１から５のいずれか一つに記載の蛍光発光装置。
【請求項１０】
前記蛍光体層に対して前記光学帯域通過フィルタの反対側に、励起波長を反射し、可視光を通過させる光学低域通過フィルタを備えることを特徴とする、請求項１から９のいずれか一つに記載の蛍光発光装置。
【請求項１１】
前記気密容器内を真空状態に封止、あるいはＮ２、またはＡｒ、Ｋｒの少なくともいずれか一つを含む希ガスを充填して封止することを特徴とする請求項１から１０のいずれか一つに記載の蛍光発光装置。
【請求項１２】
前記気密容器内の封止雰囲気中に残留酸素および残留水分を吸収するゲッターを設けることを特徴とする、請求項６から１１のいずれか一つに記載の蛍光発光装置。
【請求項１３】
前記半導体発光素子の発熱を放熱するヒートシンクを備えることを特徴とする、請求項請求項６から１１のいずれか一つに記載の蛍光発光装置。
【請求項１４】
前記ヒートシンクの表面にゲッターを設けることを特徴とする請求項１３に記載の蛍光発光装置。
【請求項１５】
前記半導体発光素子の表面をマッチングレイヤーで被覆したことを特徴とする、請求項６から１４のいずれか一つに記載の蛍光発光装置。
【請求項１６】
前記蛍光体は希土類イオン錯体からなる蛍光性錯体であることを特徴とする、請求項１から１５のいずれか一つに記載の蛍光発光装置。
【請求項１７】
前記希土類イオン錯体はアモルファス状態であることを特徴とする、請求項１６に記載の蛍光発光装置。
【請求項１８】
前記蛍光体は、赤色発光蛍光体、青色発光蛍光体、緑色発光蛍光体から選択した少なくとも２つからなる複数の面部材を平面上に配置し、
当該各色の発光蛍光体の面部材の面積比は、各色の発光蛍光体の発光量に応じて設定することを特徴とする、請求項１から１７のいずれか一つに記載の蛍光発光装置。
【請求項１９】
前記蛍光体は、赤色発光蛍光体、青色発光蛍光体、緑色発光蛍光体から選択した少なくとも２つからなる複数の膜部材を積層し、
当該各色の発光蛍光体の膜部材の膜厚は、各色の発光蛍光体の発光量に応じて設定することを特徴とする、請求項１から１７のいずれか一つに記載の蛍光発光装置。
【請求項２０】
前記蛍光体は、赤色発光蛍光体、青色発光蛍光体、緑色発光蛍光体から選択した少なくとも２つからなる複数の膜部材を積層してなる複数の面部材を平面上に配置し、
当該各色の発光蛍光体の膜部材の膜厚、又は当該各色の発光蛍光体の面部材の面積比、あるいはその両方は、各色の発光蛍光体の発光量に応じて設定することを特徴とする、請求項１から１７のいずれか一つに記載の蛍光発光装置。
【発明の詳細な説明】
【技術分野】
【０００１】
本発明は、発光装置に関し、特に、蛍光体を用いた蛍光発光装置に関する。
【背景技術】
【０００２】
発光装置として、発光ダイオード等の半導体発光素子を用いたものが知られている。発光ダイオード素子（以下ＬＥＤ素子という）は小型で優れた単色性ピークを有している。このＬＥＤ素子を用いて白色光を発光させるには、例えば、赤色ＬＥＤ素子、緑色ＬＥＤ素子、および青色ＬＥＤ素子を近接配置し、拡散混色させる必要がある。しかしながら、ＬＥＤ素子は優れた単色性ピーク特性を有しているため、各ＬＥＤ素子の発光が不均一な場合には、混色が不調となり色むらが発生するという問題があり、３色の発光強度のバランスをとるには複雑な光学系および電子制御回路が必要となる。
【０００３】
そこで、簡易に白色を得る構成として、青色ＬＥＤ素子と黄色蛍光体とを組み合わせて白色発光を行う技術が開発されている。また、水銀から放射される紫外線を蛍光体によって可視光に変換する従来の蛍光灯と類似するものとして、紫外線を発光するＬＥＤ素子と蛍光体とを組み合わせた発光装置も提案されている。
【０００４】
ＬＥＤやＬＤのような半導体発光素子と、β−ジケトンを配位子とするユーロピウム（Ｅｕ）錯体等の蛍光性錯体を含有する有機赤色蛍光体とを組み合わせて使用する発光装置は、Ｙ2Ｏ3：Ｅｕ等の無機赤色蛍光体を使用する蛍光灯と比べて、近紫外光から可視光の光を効率よく吸収し、高輝度な発光を得ることができると言われているが、ユーロピウム錯体を含む赤色蛍光体は劣化しやすいという問題が指摘されている。また、ＬＥＤ素子やＬＤ素子が発光する光の波長が短いほど、封止体や蛍光体等の劣化が著しいことも指摘されている。
【０００５】
例えば、特許文献１では、紫外光の内、特に３５０ｎｍ以下の短波長光が配位子化合物等の有機材料の劣化に大きく関与し、これより長波長の光は劣化では劣化しにくいため、蛍光錯体に対して３５０ｎｍ以下の光を紫外線カットフィルタを用いて遮断することで、蛍光体の劣化を低減することが記載されている。
【０００６】
また、蛍光体を用いた発光装置では、発光の出力光の強度がそれほど高くないという問題が指摘されている。これに対して、例えば、特許文献２では、励起光である近紫外光を透過させ、蛍光体で発光した可視光を反射させる蛍光反射用の光学フィルタを半導体発光素子と蛍光体との間に設ける構成、および、蛍光体を通過して前方に向かう励起光を再び蛍光体へ戻す励起光反射用の光学フィルタを蛍光体の前側に設ける構成によって、照度を向上させることが記載されている。
【特許文献１】特開２００４−３５２９２８号
【特許文献２】特開２００５−２９４２８８号
【発明の開示】
【発明が解決しようとする課題】
【０００７】
上記した特許文献１では、蛍光体を励起して可視光を発光させる際に、励起光よりも短い短波長光によって蛍光体の有機材料が劣化することを防ぐために、紫外線吸収型フィルタを用いて紫外線を吸収している。この紫外線吸収型フィルタは、紫外線の吸収あるいは透過において急峻さを欠く特性であるため、蛍光体の劣化を有効に防ぐためには、吸収端の波長域を長波長側まで延ばして広い波長範囲で吸収を行う必要がある。このように、吸収端の波長域を長波長側まで延ばすと、吸収の波長域は励起光の波長域を含み、励起光までもが紫外線吸収型フィルタで吸収されることとなり、発光効率が低下することになるという問題がある。逆に、蛍光体に通す励起光の強度を十分に保つために、吸収端の波長域を短波長側に移動させると、蛍光体を劣化する紫外線域の光を十分に吸収することが困難となる。
【０００８】
したがって、紫外線吸収型フィルタでは、蛍光体の劣化を防止することと、蛍光体に対して励起光を十分に供給することの両方の要求を同時に満たすことは困難である。
【０００９】
また、上記した特許文献２に記載される蛍光反射用の光学フィルタおよび励起光反射用の光学フィルタは、蛍光体の発光の照度を高めることを目的とするものであって、紫外線による蛍光体の劣化についてはなんらの考慮もされていない。そのため、蛍光反射用の光学フィルタは、半導体発光素子から発せられた短波長側の光について、励起光である近紫外光とともに蛍光体を劣化させる紫外線の波長域の光についても通過させるため、蛍光体は紫外線の波長域の光による劣化を避けることはできない。
【００１０】
また、上記した従来技術を組み合わせ、半導体発光素子と蛍光体との間に、紫外線吸収型フィルタと蛍光反射用の光学フィルタを設け、蛍光体の前側に励起光反射用の光学フィルタを設けた構成としたとしても、蛍光体の劣化防止を十分なものとするために紫外線吸収型フィルタの吸収端の波長域を長波長側まで延ばすと、蛍光体に通す励起光の光量が低下するため、蛍光体による可視光の発光が十分に得られないという問題が生じる。
【００１１】
そこで、本発明は、上記した課題を解決し、蛍光体の劣化防止と、蛍光体への励起光の十分な供給の２つの要求を同時に満たすことを目的とする。
【課題を解決するための手段】
【００１２】
本発明の蛍光発光装置は、半導体発光素子と蛍光体との間に、短波長域では励起光の波長域を通過させ、長波長域では可視光を反射させる光学帯域通過フィルタ（バンドパスフィルタ）を備えることによって、蛍光体の劣化防止と、蛍光体への励起光の十分な供給の２つの要求を同時に満たすという課題を解決する。
【００１３】
本発明の蛍光発光装置は、励起光を発光する半導体発光素子と、近紫外域の波長の励起光によって励起され、可視光域の波長の光を発光する蛍光体層と、半導体発光素子と蛍光体層との間の光路上に設けた前記励起光の波長を通過域とする光学帯域通過フィルタとを備えた構成とする。この光学帯域通過フィルタは、複数の高屈折率材料層と低屈折率材料層を交互に積層してなる誘電体多層膜により構成し、短波長域の波長をカットオフすることにより紫外域の波長を反射させるとともに励起波長を通過させ、長波長域の波長をカットオフすることにより可視光の波長を反射させるとともに光近紫外域の波長を通過させる。
【００１４】
本発明の光学帯域通過フィルタは、短波長域の波長をカットオフすることにより、蛍光体を劣化させる波長域である紫外線については反射することによって蛍光体の劣化を防ぐとともに、蛍光体を励起する波長域の励起光については通過させることによって蛍光体を励起して可視光を発光させる。また、長波長域の波長をカットオフすることにより、光近紫外域の波長を通過させることで蛍光体を励起する波長域の励起光を蛍光体側に通過させるとともに、蛍光体で発光した可視光の波長を反射させることによって蛍光体での可視光の発光効率を高める。
【００１５】
また、本発明の光学帯域通過フィルタを誘電体多層膜によって構成することによって、通過波長帯域のカットオフ波長において、紫外線吸収型フィルタでは得られない急峻な波長峻別を行うことができる。
【００１６】
光学帯域通過フィルタは、励起光に対する反射率が紫外域の波長光に対する反射率よりも低いフィルタを構成する第１の誘電体多層膜と、励起光に対する反射率が可視光に対する反射率よりも低いフィルタを構成する第２の誘電体多層膜とを備え、この２種類の誘電体多層膜からなる光学帯域通過フィルタを半導体発光素子と蛍光体層との間の光路上に設ける。
【００１７】
通常、基板表面に誘電体多層膜を積層して形成する場合には、多層膜を構成する各層の膜応力により多層膜の膜面が歪むという現象が発生する。誘電体多層膜は、高屈折率材料層と低屈折率材料層の屈折率と膜厚により特性が決まる。そのため、誘電体多層膜を用いて形成した光学帯域通過フィルタにおいて、誘電体多層膜に歪みが生じると、波面収差が発生するばかりか、所望の帯域通過特性を得ることが難しくなる。そこで、本発明の光学帯域通過フィルタは、光学帯域通過フィルタが備える第１の誘電体多層膜と第２の誘電体多層膜の２つの誘電体多層膜を、石英基板の平板を挟んでその両側に形成する。石英基板を挟む両側の２つの誘電体多層膜を形成することによって、誘電体多層膜を構成する各層の応力を石英基板の平板の両側で緩和することができ、誘電体多層膜に生じる歪みを低減させることができる。なお、ここで、誘電体多層膜は、例えば、Ｔａ2Ｏ5とＳｉＯ2を積層することで形成することができる。
【００１８】
また、光学帯域通過フィルタを構成する第１の誘電体多層膜と第２の誘電体多層膜は、半導体発光素子と蛍光体層とを結ぶ光路上において、いずれの誘電体多層膜を半導体発光素子側あるいは蛍光体層側とするかの配置順は任意とすることができる。また、光学帯域通過フィルタは蛍光体層とともに積層体を形成してもよい。
【００１９】
本発明の蛍光発光装置は、半導体発光素子で発光した短波長域の光を蛍光体層に導く際に、半導体発光素子から蛍光体層に光学帯域通過フィルタを介して直接に導く透過型と、半導体発光素子の発光をいったん反射層で反射させた後に、光学帯域通過フィルタを介して導く反射型の２通りの構成とすることができる。
【００２０】
透過型の蛍光発光装置は、基板とケーシングとからなる気密容器を備え、基板に半導体発光素子を支持させ、ケーシングに設けた少なくとも窓部に、光学帯域通過フィルタと蛍光体層との積層体を、蛍光体層を外側にして設ける。この構成により、半導体発光素子で発光した短波長域の光は、ケーシングに設けた少なくとも窓部に向かって進む。この窓部において、短波長域の光は光学帯域通過フィルタと蛍光体層との積層体を通過する。このとき、はじめに光学帯域通過フィルタを通る。このとき、蛍光体を劣化する波長域は阻止され、励起波長の光が通過する。光学帯域通過フィルタを通過した励起波長域の光は蛍光体層に達し、励起によって可視光が発光する。発光した可視光は、窓部から外部に放出される。また、透過型の蛍光発光装置において、半導体発光素子の表面に光学帯域通過フィルタを形成する構成としてもよい。
【００２１】
反射型の蛍光発光装置は、反射板とケーシングとからなる気密容器を備え、気密容器内に設けた支持部材に、発光面が反射板に向かう方向に半導体発光素子を支持させ、ケーシングに設けた少なくとも窓部に、光学帯域通過フィルタと蛍光体層との積層体を、蛍光体層を外側にして設ける。この構成により、半導体発光素子で発光した短波長域の光は反射板に向かって進み、反射面で反射した後、窓部に向かって進む。この窓部において、短波長域の光は光学帯域通過フィルタと蛍光体層との積層体を通過し、その後は、透過型の構成と同様にして可視光を発光する。
【００２２】
また、反射型の蛍光発光装置において、半導体発光素子の表面に光学帯域通過フィルタを形成する構成としてもよい。半導体発光素子の発光は光学帯域通過フィルタを通した後、反射面で反射した後に蛍光体層を通る。その後は、前記した反射型の構成と同様にして可視光を発光する。
【００２３】
また、透過型および反射型の何れの構成の蛍光発光装置においても、蛍光体層に対して光学帯域通過フィルタの反対側に、励起波長を反射するとともに可視光を通過させる光学低域通過フィルタを備える構成としてもよい。この光学帯域通過フィルタを設けることによって、蛍光体層において励起を行うことなく通過した励起波長の光を蛍光体層側に反射させ、蛍光体層において励起を行わせる。これによって、励起波長の光を有効に用いて可視光を発生させることができる。
【００２４】
本発明の蛍光発光装置が備える気密容器内は、真空状態で封止する他、Ｎ2、またはＡｒ、Ｋｒの少なくともいずれか一つを含む希ガスを充填して封止する構成とする。
【００２５】
この気密容器内を封止雰囲気とする構成において、この封止雰囲気中にゲッターを設け、これによって気密容器内に残留する酸素や水分を吸収することができる。気密容器内に残留する酸素や水分を吸収することによって蛍光体の劣化を抑制し、可視光の発光効率を安定化させることができる。
【００２６】
また、半導体発光素子の発熱を放熱するヒートシンクを備える構成としてもよい。ヒートシンクは、半導体発光素子が発生した熱を気密容器外に伝達させることによって半導体発光素子の温度上昇を抑えて半導体発光素子の寿命低下を抑制する。
【００２７】
また、半導体発光素子の温度上昇を抑制するヒートシンクの表面にゲッターを付着させる構成としてもよい。ゲッターは、不活性状態のゲッター材をレーザー光の照射や大電流の通電によって所定箇所に付着させることで活性化する。また、付着したゲッターは加熱することによって酸素や水分の吸収作用の効率が高まる。本発明は、ヒートシンクの表面にゲッターを付着させる構成とすることによって、ヒートシンクの熱伝導配線としての機能を利用して、表面に付着させたゲッターの吸収効率を向上させることができる。
【００２８】
また、半導体発光素子の表面をマッチングレイヤーで被覆する構成としてもよい。半導体発光素子の表面に設けたマッチングレイヤーは、励起波長の発光量を向上させる。このマッチングレイヤーは、例えば、空気の屈折率１とＧａＮ系の半導体発光素子の屈折率２．５の間の屈折率を有する膜とすることができる。マッチングレイヤーは、ゾルゲル法、ポッティング、スパッタリング、または蒸着法など単層または多層構成によって半導体発光素子の表面に形成して被覆する。
【００２９】
近紫外領域の短波長光を発光する半導体発光素子と蛍光体層を気密封止した蛍光発光装置において、半導体発光素子の表面を樹脂部材等で覆う構成では、この樹脂部材に半導体発光素子からの出射光が照射されることで、その樹脂部材が劣化してしまうため、樹脂部材をできるだけ避けることが望ましい。
【００３０】
樹脂部材を用いない構成では、半導体発光素子は気体雰囲気と接するため、半導体発光素子と気体雰囲気層との屈折率の影響によって、半導体発光素子で発光した光は気体雰囲気層側に十分に達せず、光量が減衰してしまうこととなる。
【００３１】
このような状況において、本発明の上記した構成にように、半導体発光素子の表面をマッチングレイヤーで覆う構成とすることによって、上記樹脂部材を用いずとも半導体発光素子の発光を蛍光体層に減衰することなく蛍光体層に通し、蛍光体層で励起する光の光量を向上させることができ、これによって蛍光発光装置の発光強度を高めることができる。
【００３２】
また、本発明の蛍光発光装置が備える蛍光体は希土類イオン錯体からなる蛍光性錯体を用いることができ、希土類イオン錯体はアモルファス状態あるいは結晶状態とすることができる。
【００３３】
アモルファス状態の希土類蛍光錯体は、結晶状態の希土類蛍光錯体に比べて発光効率が低下するが、アモルファス状態の希土類蛍光錯体は、フィルタの全面に蛍光体を設けることができるので、トータルの発光量を変えずに所望の発光量を得ることができる。また、本構成によれば、光学帯域通過フィルタを透過する、蛍光体層で励起されない励起波長の光を極力少なくすることができる。
【００３４】
また、本発明の蛍光発光装置が備える蛍光体は、赤色発光蛍光体、青色発光蛍光体、緑色発光蛍光体から選択した少なくとも２つからなる複数の面部材を平面上に配置した構成とすることができる。複数の面部材は、例えば、ストライプ状、マトリックス状、またはデルタ状等とすることができる。この各色の発光蛍光体の面部材の面積比を、各色の発光蛍光体の発光量に応じて設定する。
【００３５】
また、本発明の蛍光発光装置が備える蛍光体は、赤色発光蛍光体、青色発光蛍光体、緑色発光蛍光体から選択した少なくとも２つからなる複数の膜部材を積層して構成することができる。各色の発光蛍光体の膜部材の膜厚は、各色の発光蛍光体の発光量に応じて設定する。
【００３６】
各色の発光蛍光体は、励起波長の光を照射すると、各色の発光光量に差が生じる。特に、緑色発光蛍光体の発光量が小さい。そこで、各蛍光体の発光量の度合いに応じて、各色における発光蛍光体の面積や発光蛍光体の膜厚を変えることで、より目的の色に近い光を発光させることができる。例えば、赤色、青色、緑色の各発光蛍光体を用いることで白色光を形成することができる。
【００３７】
また、蛍光体は、上記した面部材の面積比と膜厚の両方を変える構成としてもよく、赤色発光蛍光体、青色発光蛍光体、緑色発光蛍光体から選択した少なくとも２つからなる複数の膜部材を積層してなる複数の面部材を平面上に配置し、各色の発光蛍光体の膜部材の膜厚、又は各色の発光蛍光体の面部材の面積比、あるいはその両方を各色の発光蛍光体の発光量に応じて設定する。
【発明の効果】
【００３８】
本発明の蛍光発光装置によれば、蛍光体の劣化防止と、蛍光体への励起光の十分な供給の２つの要求を同時に満たすことができる。
【００３９】
また、本発明の光学帯域通過フィルタ（バンドパスフィルタ）の態様によれば、誘電体多層膜により構成することにより、励起波長である４０５ｎｍの光をほぼ１００％通し、蛍光体を劣化する３７０nm以下の短波長の透過をほぼ１％以下とすることができる。
【００４０】
本発明の光学帯域通過フィルタの態様によれば、例えば、励起波長である４０５ｎｍを中心波長とする所定幅の波長範囲について透過させることができる。
【００４１】
本発明の光学帯域通過フィルタの態様によれば、石英基板の平板を挟んで両面に誘電体多層膜を形成することによって、誘電体多層膜を構成する各層の応力による歪みを抑制し、歪みによるフィルタ特性の劣化を抑制することができる。
【００４２】
本発明の態様によれば、蛍光体層に対して光学帯域通過フィルタの反対側に光学低域通過フィルタを設けて可視光を透過させるとともに蛍光体の励起波長を反射することによって、蛍光体層で励起されなかった光を再度蛍光体層に戻すしことができ、蛍光体層における発光量をより多くすることができる。
【００４３】
本発明の反射型の態様によれば、半導体発光素子から出射した光を、反射膜等で形成され反射面を介して光学帯域通過フィルタに入射させることで、輝度ムラがない演色性に優れた光を発光することができる。
【００４４】
本発明の気密容器内を真空あるいは希ガスによって気密封止する態様によれば、演色性が高く、高い発光強度を得ることができる。また、希ガスで気密封止することで、水分や酸素の封入をより抑えることができる。
【００４５】
本発明の気密封止した雰囲気中にゲッターを設ける態様によれば、気密容器内の残留酸素や残留水分を極力少なくすることができる。
【００４６】
本発明の半導体発光素子のヒートシンクを設ける態様によれば、半導体発光素子の寿命の低下を抑えることができる。
【００４７】
本発明の半導体発光素子のヒートシンクにゲッターを設ける態様によれば、ヒートシンクの熱を利用してゲッターの吸収効率を向上させることができる。
【００４８】
本発明の半導体発光素子の表面にマッチングレイヤーを設ける態様によれば、励起波長の発光量を向上させることができる。
【００４９】
本発明の半導体発光素子と光学帯域通過フィルタとを一体化する態様によれば、空気層を介在させない形態とすることで光利用効率を向上させることができる。
【００５０】
本発明の蛍光体をアモルファス状態の希土類蛍光錯体とする態様によれば、光学帯域通過フィルタの全面に蛍光体を設けることができるため、トータルの発光量を変えずに所望の発光量を得ることができ、また、光学帯域通過フィルタを透過する、蛍光体層で励起されない励起波長の光を極力少なくすることができる。
【００５１】
本発明の蛍光体をストライプ状、マトリックス状、またはデルタ状等に配列する態様によれば、各発光蛍光体からの発光量に応じて面積を設定することで、目的の色に近い光を発光させることができる。
【００５２】
本発明の蛍光体を積層する態様によれば、各発光蛍光体からの発光量に応じて膜厚を設定することで、目的の色に近い光を発光させることができる。
【発明を実施するための最良の形態】
【００５３】
以下、本発明の蛍光発光装置について図を用いて詳細に説明する。  
【００５４】
本発明の蛍光発光装置は、半導体発光素子によって励起波長を含む短波長の光を発光させて蛍光体に当て、蛍光体において励起波長の光（励起光）によって可視光を励起されることで発光を行う。図１は、この蛍光発光装置による発光を説明するための概略図である。なお、図１において、横軸は波長（左側を短波長側とし、右側を長波長側としている）を表し、縦軸は光の移動方向を概略的に示している。
【００５５】
横軸の波長は、概略、ＵＶ波長域（紫外線波長領域）Ａと、励起波長域Ｂと、可視光波長域Ｃに分けられる。半導体発光素子は、紫外波長域（ＵＶ波長域）から、励起波長域Ｂを含む近紫外領域の波長を発光する。例えば、蛍光体は、この近紫外領域の波長の光を励起光として可視光を発光する。この蛍光体は、例えば、希土類イオン錯体からなる蛍光性錯体とすることができ、例えば４０５ｎｍの波長を励起光として可視光を発光する。
【００５６】
この４０５ｎｍの波長は一例であり、励起波長を中心にしてΔλの波長幅を有する。ここでは、励起波長にΔλの波長幅を持たせた波長域を励起波長域Ｂとし、例えば、４０５ｎｍ±Δλ／２の波長域とする。波長幅Δλは、例えば１０ｎｍとすることができる。なお、励起波長は４０５ｎｍに限られるものではなく、蛍光体を形成する物質等によって変化する。また、励起波長域Ｂを定める波長幅Δλについても、１０ｎｍに限られるものではなく、必要に応じて変更して定めることができる。
【００５７】
蛍光体は、この励起波長の光を受けて励起し可視光(例えば、４３０ｎｍ〜７００ｎｍの白色光)を発光する。
【００５８】
半導体発光素子は紫外領域から近紫外領域の波長の光を発光する。図１（ａ）では、この領域の波長の光として、ＵＶ波長域Ａの光ａと励起波長域Ｂの光ｂを示している。蛍光体は、励起波長域Ｂの光ｂを受けて励起し（図１（ａ）中の矢印ｃ）、可視光域Ｃの光（図１（ａ）中の矢印ｄ，ｅ）を発光する。
【００５９】
半導体発光素子が発光する光の内で、ＵＶ波長域Ａの光ａは蛍光体を劣化させるため、この波長域Ａの光ａは蛍光体に届かないようにし（図１（ａ）中の矢印ａ）、励起波長域Ｂの光ｂのみが届くことが求められる（図１（ａ）中の矢印ｂ）。
【００６０】
前記した蛍光体では、例えば、３７０ｎｍより短い波長によって劣化の影響を受ける。なお、３７０ｎｍは一例であって臨界的な数値ではなく、また、蛍光体を形成する物質等によっても変動する。
【００６１】
また、励起によって発光した可視光の内で蛍光体側に戻る光（図１（ａ）中のｅ）は、蛍光発光装置が発光する光として寄与しない。そこで、この蛍光体側に戻る光（図１（ａ）中のｅ）は、蛍光体側に戻らないようにして、図１（ａ）中のｆに示すように出力光とすることが望ましい。
【００６２】
本発明の蛍光発光装置は、上記した各波長域で求められる光特性を満たすために、図１（ｂ）に示すような光学帯域通過フィルタを備える。本発明の蛍光発光装置が備え光学帯域通過フィルタは、短波長側のカットオフ波長（図１（ｂ）中のＤ）において、蛍光体を劣化させる紫外領域の波長（例えば、３７０ｎｍ以下の短波長域）の光を反射させて蛍光体に届かないようするとともに、光近紫外域の励起波長（例えば、４０５ｎｍの波長）を通過させ、また、長波長側のカットオフ波長（図１（ｂ）中のＥ）において可視光の波長を反射させるとともに光近紫外域の励起波長を通過させる。
【００６３】
図１（ｂ）に示すような光学帯域通過フィルタを備えることで、半導体発光素子で発光した光の内から、蛍光体を励起させるとともに蛍光体を劣化させない波長域の光のみを選択して、蛍光体に導くことができる。
【００６４】
なお、この光学帯域通過フィルタは、複数の高屈折率材料層と低屈折率材料層を交互に積層してなる誘電体多層膜によって形成することができる。
【００６５】
本発明の蛍光発光装置を構成するフィルタ構成について、図２，図３を用いて説明する。なお、図２は透過型の構成例であり、図３は反射型の構成例である。
【００６６】
透過型の蛍光発光装置は、半導体発光素子で発光した短波長域の光を蛍光体層に導く際に、半導体発光素子から蛍光体層に光学帯域通過フィルタを介して直接に導く。一方、反射型の蛍光発光装置は、半導体発光素子の発光をいったん反射層で反射させた後に、光学帯域通過フィルタを介して導く。
【００６７】
反射型の構成は、半導体発光素子の発光を反射層で反射させた後は、透過型の構成とほぼ同様となるため、以下では主に透過型の構成について説明する。
【００６８】
図２において、透過型の蛍光発光装置は、半導体発光素子ＬＥＤから発光した短波長から可視光に至る光を光学帯域通過フィルタＦＡを通して励起波長のみを蛍光体に通す。ここで、光学帯域通過フィルタＦＡは、低域通過フィルタＦ１と高域通過フィルタＦ２とによってバンドパスフィルタを構成している。
【００６９】
低域通過フィルタＦ１は、励起光に対する反射率が紫外域の波長光に対する反射率よりも低いフィルタであり、半導体発光素子から発光に含まれる波長の内で、紫外域の波長をカットし、紫外域よりの長波長側にある近紫外域〜可視光域の波長を通過させる。
【００７０】
また、高域通過フィルタＦ２は、励起光に対する反射率が可視光に対する反射率よりも低いフィルタであり、低域通過フィルタＦ１を通過した近紫外域〜可視光域の内で、可視光域の波長をカットし、近紫外域の波長を通過させる。また、蛍光体側から来る可視光域の波長も反射して蛍光体側に戻すことによって、可視光の出光効率を高める。
【００７１】
上記した低域通過フィルタＦ１および高域通過フィルタＦ２は誘電体多層膜によって構成することができ、この誘電体多層膜は、Ｔａ2Ｏ5とＳｉＯ2を積層することで形成することができる。また蛍光体についても、蛍光体層とすることができる。
【００７２】
また、蛍光体が発光する可視光の出光側には、可視光の波長域については通過させ、励起波長については反射する低域通過フィルタＦ３を設ける。図２において、この低域通過フィルタＦ３は、光学低域通過フィルタＦＢを構成している。なお、図２では可視光をＲＧＢで示している。
【００７３】
また、図２では、半導体発光素子ＬＥＤ側に低域通過フィルタＦ１を配置し、蛍光体側に高域通過フィルタＦ２を設ける構成としているが、この配置順は逆順であってもよく、半導体発光素子ＬＥＤ側に高域通過フィルタＦ２を配置し、蛍光体側に低域通過フィルタＦ１を設ける構成としてもよい。
【００７４】
光学帯域通過フィルタＦＡは、石英基板（図示していない）を挟んでその両側に第１の誘電体多層膜と第２の誘電体多層膜とを形成する構成とすることができ、これによって、各多層膜による歪みを、石英基板を挟む２層の体多層膜によって相殺し、光学帯域通過フィルタＦＡ全体の歪みを抑制することができる。
【００７５】
また、光学帯域通過フィルタＦＡは、蛍光体側に一体で形成し、蛍光体層とともに積層体を形成する構成とする他に、半導体発光素子ＬＥＤ側に設ける構成としてもよい。光学帯域通過フィルタＦＡを蛍光体側と一体で形成することで、光学帯域通過フィルタＦＡを通過した励起波長が蛍光体に届くまでに減衰する量を減らすことができる。また、光学帯域通過フィルタＦＡを半導体発光素子ＬＥＤと一体で形成することで、半導体発光素子ＬＥＤの発光光量を減衰させることなく光学帯域通過フィルタＦＡに通すことができる。
【００７６】
図３に示す反射型の構成は、図２に示す透過型の構成において、半導体発光素子ＬＥＤで発光した光をいったん反射層等で形成した反射面で反射させる構成で相違するが、その後に反射光を光学帯域通過フィルタＦＡに通す光路上の構成は同様である。作用についても図２で示した透過型の蛍光発光装置と同様であるため、ここでの説明は省略する。
【００７７】
なお、反射型の構成によれば、半導体発光素子で発光した光を反射面で反射させることによって、輝度ムラがない演色性に優れた光を発光することができるという効果を奏することができる。
【００７８】
以下、本発明の蛍光発光装置が備えるフィルタ特性について、図４，図５を用いて説明する。図４は光学帯域通過フィルタＦＡのフィルタ特性を示し、図５は光学低域通過フィルタＦＢのフィルタ特性を示している。
【００７９】
図４において、図４（ａ）は低域通過フィルタＦ１のフィルタ特性を示している。半導体発光素子ＬＥＤから短波長側の紫外域から長波長側の可視光域の波長の光が発光されると、低域通過フィルタＦ１はこの波長域の内で紫外域側の波長を反射し、近紫外域から可視光域の長波長側の光を通過させる。低域通過フィルタＦ１がカットする紫外域側の波長は、蛍光体を劣化させる短波長の光であり、例えば、３７０ｎｍとすることができる。なお、３７０ｎｍは一例であって、蛍光体の特性や劣化の許容範囲等によって異な波長に設定することができる。
【００８０】
低域通過フィルタＦ１を通過する波長域は、蛍光体を励起する励起波長を含み、ここでは、例えば、希土類イオン錯体からなる蛍光性錯体の一例に対応した４０５ｎｍの波長を含み、また、前記したようにこの４０５ｎｍの波長を中心とするΔλの波長幅を含む波長範囲とすることができる。図４（ａ）中の矢印ａ、ｂは図１（ａ）と同様に、ＵＶ波長域Ａの光ａと励起波長域Ｂの光ｂを示し、矢印ｇは可視光域Ｃの光を示している。
【００８１】
図４（ｂ）は高域通過フィルタＦ２のフィルタ特性を示している。高域通過フィルタＦ２は、低域通過フィルタＦ１を通過した励起波長の光（図４（ｂ）中のｂ）を蛍光体側に向かって通すとともに、蛍光体の励起によって発光した可視光（図４（ｂ）中のｅ）を反射して（図４（ｂ）中のｆ）、蛍光体側に戻らないようにし、図４（ｂ）中のｄで示す可視光とともに出力光とする。これによって、可視光の出力光の光強度を高めることができる。
【００８２】
図４（ｃ）は、低域通過フィルタＦ１および高域通過フィルタＦ２により形成されるバンドパスフィルタを示している。
【００８３】
バンドパスフィルタは、この短波長側のカットオフ波長において、紫外域を不通過とし、近紫外域および可視光域を通過とする低域通過フィルタＦ１と、長波長側のカットオフ波長において、近紫外域を通過とし、可視光域を不通過とする高域通過フィルタＦ２の組み合わせによって、励起波長および励起波長を中心波長として所定の波長幅を持つ波長範囲を通過帯域として有する。
【００８４】
図５において、光学低域通過フィルタＦＢは、蛍光体で発光した可視光域の波長を通過させる（図５中のｄ）とともに、蛍光体を通過した励起波長を蛍光体側に戻す（図５中のｈ）。
【００８５】
次に、本発明の蛍光発光装置の構成例について図６〜図９を用いて説明する。図６は透過型の蛍光発光装置の構成例であり、図７は蛍光発光装置が備える光学帯域通過フィルタの構成例であり、図８は透過型の蛍光発光装置の他の構成例であり、図９は反射型の蛍光発光装置の構成例である。
【００８６】
はじめに、透過型の蛍光発光装置の構成例について説明する。図６において、蛍光発光装置１は、気密容器１０内に半導体発光素子２および蛍光体ＰＨを備え、半導体発光素子２で発光した励起波長の光によって蛍光体ＰＨで可視光を励起し、気密容器１０内に設けた窓１３を通して気密容器１０の外に向けて出力する。
【００８７】
気密容器１０は、ベース１１とケーシング１２とによって内部空間１４を形成し、この内部空間１４内に半導体発光素子２、光学帯域通過フィルタＦＡ、および蛍光体ＰＨを備える。気密容器１０内の内部空間１４は、真空状態あるいは、Ｎ2や希ガスを充填することによって気密に封止し、酸素や水分の侵入を防止する。希ガスとしては、例えば、Ａｒ、Ｋｒを用いることができる。
【００８８】
ベース１１には、外部の接点５と電気的に導通する支持部３と、外部の接点６と電気的に導通するリード部４が設けられる。支持部３には、半導体発光素子２がその発光面を窓部１３側に向けて配置される。半導体発光素子２の一端の端子は、導電ワイヤ７によって支持部３側に設けたリード部分と電気的に接続される。また、半導体発光素子２の他方の端子は、導電ワイヤ８によってリード部４と電気的に接続される。これによって、半導体発光素子２の一端は、導電ワイヤ７と支持部３のリード部分を介して外部の接点５と接続され、半導体発光素子２の他端には、導電ワイヤ８とリード部４を介して外部の接点６接続され、図示しない外部電源から供給された電流によって駆動されて発光する。
【００８９】
ここで、支持部３はヒートシンクを構成して、半導体発光素子２の発熱を外部に熱伝達して冷却するように構成することができる。
【００９０】
また、半導体発光素子２の表面は、ゾルゲル法、ポッティング、スパッタリング、または蒸着法など単層または多層構成により形成したマッチングレイヤー９によって被覆することができる。マッチングレイヤー９は、例えば、この空気の屈折率１とＧａＮ系の半導体発光素子ＬＥＤの屈折率２．５の間の屈折率を有する膜とすることができ、これによって、半導体発光素子２で発光した光が空気層との間で全反射することで外部に取り出す光量が減少することを防ぎ、励起波長の発光量を向上させる。なお、気密容器内を希ガスで満たす場合には、この希ガスの屈折率とＧａＮ系の半導体発光素子ＬＥＤの屈折率の間の屈折率を有する膜とする。
【００９１】
また、ケーシング１２の窓１３部分には、光学帯域通過フィルタＦＡ、蛍光体ＰＨ、および光学低域通過フィルタＦＢが設けられる。光学帯域通過フィルタＦＡを気密容器１０の内部空間１４内の半導体発光素子２側に配置し、光学低域通過フィルタＦＢを気密容器１０の外部に向かって配置する。これによって、半導体発光素子２で発光した光は、はじめに光学帯域通過フィルタＦＡを通過し、光学低域通過フィルタＦＢを通過した光が気密容器１０の外部に出光する。
【００９２】
図６において、気密容器１０の内部空間１４内にゲッター２１を設け、気密容器１０の内部空間１４内に残留する酸素や水分を吸収する。ゲッター２１は残留酸素や残留水分を吸収することによって、半導体発光素子の環境を安定化させることができる。ゲッター２１は、気密容器１０内の任意の部分に設けることができ、例えば、基板１１上（ゲッター２１ｂの場合）や、ケーシング１２の内壁面（ゲッター２１ｃの場合）や、ヒートシンクを構成する支持部３上（ゲッター２１ａの場合）に設けることができる。支持部３上に設けたゲッター２１ａは、半導体発光素子２の発熱の熱伝導によって加熱される。ゲッターの吸収効率は加熱されることで向上するため、ゲッターをヒートシンク上に設けることで残留酸素や残留水分の吸収効率を高めることができる。
【００９３】
この様に配置されたゲッター２１ａは、不活性状態のゲッター材をレーザー光の照射や大電流の通電によって所定箇所に付着させることで活性化する。本発明は、ヒートシンクを構成する支持部３の表面にゲッター２１ａを付着させる構成とすることによって、ヒートシンクの熱伝導配線としての機能を利用して、表面に付着させたゲッター２１ａの吸収効率を向上させることができる。
【００９４】
なお、蛍光発光装置を製造した後に、ランプやレーザー光によって約３００度程度に加熱してアニールすることで、ゲッターを加熱して吸収効率を向上させてもよい。
【００９５】
図７は、本発明の蛍光発光装置が備える光学フィルタおよび蛍光体の構成例を説明するための図である。蛍光発光装置が備える光学フィルタは、半導体発光素子側の配置する光学帯域通過フィルタＦＡと、出力側に配置する光学低域通過フィルタＦＢとを備え、光学帯域通過フィルタＦＡと光学低域通過フィルタＦＢとの間に蛍光体層ＰＨを配置する。
【００９６】
光学帯域通過フィルタＦＡは、短波長側のカットオフ波長において、紫外域を不通過とし、近紫外域および可視光域を通過とする低域通過フィルタＦ１と、長波長側のカットオフ波長において、近紫外域を通過とし、可視光域を不通過とする高域通過フィルタＦ２を有し、励起波長および励起波長を中心波長として所定の波長幅を持つ波長範囲を通過帯域とするバンドパスフィルタを構成する。
【００９７】
低域通過フィルタＦ１は、紫外域の波長（ＵＶ波長）を反射するＵＶ波長反射層によって構成され、誘電体多層膜によって形成される。また、高域通過フィルタＦ２は、可視光波長を反射する可視光波長反射層によって構成され、誘電体多層膜によって形成される。低域通過フィルタＦ１と高域通過フィルタＦ２の両誘電体多層膜は、石英基板等の平板Ｆ３に設けられ、これによってフィルタ層の歪みを抑制している。
【００９８】
また、低域通過フィルタＦ１の半導体発光素子と反対側には蛍光体層ＰＨが設けられ、低域通過フィルタＦ１を通過して励起波長による励起によって可視光を発光する。蛍光体層ＰＨの出力光側には光学低域通過フィルタＦＢが設けられる。
【００９９】
蛍光体層ＰＨは、結晶状態の他にアモルファス状態とすることができる。アモルファス状態の希土類蛍光錯体は、結晶状態の希土類蛍光錯体に比べて発光効率が低下するが、このアモルファス状態の希土類蛍光錯体は、低域通過フィルタＦ１と高域通過フィルタＦ２と間の全面に設けることができるため、トータルの発光量を変えずに所望の発光量を得ることができる。また、アモルファス状態とすることにより、光学帯域通過フィルタＦＡを透過する、蛍光体層で励起されない励起波長の光を極力少なくすることができる。
【０１００】
また、蛍光体は、赤色発光蛍光体と青色発光蛍光体と緑色発光蛍光体の少なくとも２つを用い、各発光蛍光体をストライプ状、マトリックス状、またはデルタ状等に配列する構成とすることができる。
【０１０１】
この複数の面部材を平面上で配置することで平面を形成することによって、各面部材の面積を、各発光蛍光体からの発光量に応じて設定することができる。赤色発光蛍光体と青色発光蛍光体と緑色発光蛍光体は、励起波長の光を照射すると、各色の発光光量に差が生じず、特に、緑色発光蛍光体の発光量が小さい。そこで、各蛍光体の発光量の度合いに応じて、各色における発光蛍光体の面積を変えることによって、目的の色に近い光を発光させることができる。例えば、赤色発光蛍光体、青色発光蛍光体、および緑色発光蛍光体を用いることで白色光を形成することができ、各色の発光蛍光体の発光量に基づいて各発光蛍光体の面積を設定することで、白色光を調整することができる。
【０１０２】
また、蛍光体は、赤色発光蛍光体と青色発光蛍光体と緑色発光蛍光体の少なくとも２つを用い、各発光蛍光体を積層する構成とすることができる。
【０１０３】
この各発光蛍光体の膜厚を、各発光蛍光体の発光量に応じて設定することができる。各蛍光体の発光量の度合いに応じて、各色における発光蛍光体の膜厚を変えることで、目的の色に近い光を発光させることができ、各色の発光蛍光体の発光量に基づいて各発光蛍光体の厚さを設定することで、白色光を調整することができる。
【０１０４】
図７（ａ）に示す構成例は、光学帯域通過フィルタＦＡにおいて、低域通過フィルタＦ１を半導体発光素子側に配置し、高域通過フィルタＦ２を蛍光体層ＰＨ側に配置する構成であり、図７（ｂ）に示す構成例は、光学帯域通過フィルタＦＡにおいて、高域通過フィルタＦ２を半導体発光素子側に配置し、低域通過フィルタＦ１を蛍光体層ＰＨ側に配置する構成である。
【０１０５】
また、図７（ｃ）に示す構成例は、光学低域通過フィルタＦＢに紫外域の波長（ＵＶ波長）を反射するＵＶ波長反射層ＦＣを設ける構成である。このＵＶ波長反射層ＦＣをもうけることによって、外部からの紫外光によって蛍光体層ＰＨが劣化することを防ぐことができる。なお、図７（ｃ）は図７（ａ）の構成に適用した例を示しているが、図７（ｂ）の構成に適用してもよい。
【０１０６】
図８は、透過型の蛍光発光装置の他の構成例である。この構成例は、光学帯域通過フィルタＦＡを半導体発光素子２の発光面側に設ける構成であり、その他の構成は図６に示す構成と同様である。
【０１０７】
半導体発光素子２の発光は、直ちに光学帯域通過フィルタＦＡに入射される。光学帯域通過フィルタＦＡは、紫外域の波長がカットオフして励起波長の光を気密容器１０の内部空間１４内に出力する。励起波長の光は内部空間１４を進んだ後、ケーシング１２の窓１３側に設けた蛍光体ＰＨに入射する。蛍光体ＰＨでは、入射した励起波長の光によって可視光を励起する。励起された可視光は、光学低域通過フィルタＦＢを通過して出力される。
【０１０８】
図９は反射型の蛍光発光装置の構成例である。図９（ａ）は、図６に示した透過型の構成に対応する反射型の蛍光発光装置の一構成例であり、図９（ｂ）は、図８に示した透過型の構成に対応する反射型の蛍光発光装置の一構成例である。
【０１０９】
図９（ａ）に示す構成例において、蛍光発光装置１は、気密容器１０のケーシング１１の内面に反射層１５を備え、ケーシング１１内の内部空間１４に半導体発光素子２を配置する。半導体発光素子２は、その発光面が反射層１５に向かう位置に支持部３に載置される。また、半導体発光素子２の発光面と反対側であって、ケーシング１１の窓部１３側には、透過型の蛍光発光装置の構成と同様に、光学帯域通過フィルタＦＡ、蛍光体ＰＨ、および光学低域通過フィルタＦＢが順に配置される。
【０１１０】
半導体発光素子２から発した光は、内部空間１４を通過した後、反射層１５で反射され光学帯域通過フィルタＦＡに向かって進む。反射層１５で反射することによって、光学帯域通過フィルタＦＡに入射する光の入射方向を均一化し、蛍光体ＰＨでの可視光の発光の位置によるばらつきを低減させ、輝度むらがない演色性を向上させることができる。
【０１１１】
光学帯域通過フィルタＦＡ、蛍光体ＰＨ、および光学低域通過フィルタＦＢの作用は、透過型の蛍光発光装置の場合と同様であるので、ここでの説明は省略する。
【０１１２】
半導体発光素子２を載置する支持部３はヒートシンクを構成することができ、半導体発光素子２の発熱はケーシング１１の外部に放出される。また、透過型の蛍光発光装置の場合と同様に、支持部３にゲッター２１ａを設ける構成とすることによって、ヒートシンクの作用による熱でゲッター２１ａを加熱して、ゲッターによる残留酸素は残留水分の吸収効率を向上させることができる。
【０１１３】
図９（ｂ）に示す構成例は、光学帯域通過フィルタＦＡを半導体発光素子２の発光面に設ける構成である。半導体発光素子２の発光は、直ちに光学帯域通過フィルタＦＡに入射して紫外域の波長がカットオフされ、励起波長の光が反射層１５に向かって気密容器１０の内部空間１４内に出力される。励起波長の光は内部空間１４を進んだ後、反射層１５の反射面で反射された後、ケーシング１１の窓１３側に設けた蛍光体ＰＨに入射する。蛍光体ＰＨでは、入射した励起波長の光によって可視光を励起する。励起された可視光は、光学低域通過フィルタＦＢを通過して出力される。
【０１１４】
この構成例においても、半導体発光素子２を載置する支持部３にゲッター２１ａを取り付け、支持部３のヒートシンクの作用によってゲッターの吸収作用を向上させることができる。
【０１１５】
図１０，図１１に、本発明の光学帯域通過フィルタＦＡが備える低域通過フィルタＦ１および高域通過フィルタＦ２の特性例を示し、図１２は本発明の光学低域通過フィルタＦＢの特性例を示す。
【０１１６】
図１０に示す低域通過フィルタＦ１の特性例は、ほぼ３７０ｎｍをカットオフ波長とする低域通過特性を示し、カットオフ波長より短波長側ではほぼ０％の透過率を示し、カットオフ波長より長波長側において少なくとも４０５ｎｍの励起波長の近傍ではほぼ１００％の透過率を示している。
【０１１７】
また、図１１に示す高域通過フィルタＦ２の特性例は、ほぼ４３０ｎｍをカットオフ波長とする高域通過特性を示し、カットオフ波長より短波長側において少なくとも４０５ｎｍではほぼ１００％の透過率を示し、カットオフ波長より長波長側において可視光の波長域（例えば４３０ｎｍ〜７００ｎｍ）の範囲ではほぼ０％の透過率を示している。
【０１１８】
光学帯域通過フィルタＦＡの特性は、図１０の低域通過フィルタＦ１の特性と、図１１に示す高域通過フィルタＦ２の特性との重なりによって得ることができる。
【０１１９】
また、図１２に示す低域通過フィルタＦＢの特性例は、ほぼ４３０ｎｍをカットオフ波長とする低域通過特性を示し、カットオフ波長より短波長側ではほぼ０％の透過率を示し、カットオフ波長より長波長側において可視光の波長域（例えば４３０ｎｍ〜７００ｎｍ）の範囲ではほぼ１００％の透過率を示している。
【０１２０】
なお、本発明の光学帯域通過フィルタＦＡの特性は、図１０に示す低域通過フィルタＦ１の特性と図１１に示す高域通過フィルタＦ２の特性例を重ねた特性として得られるが、図１２に示す低域通過フィルタＦＢの特性例は、蛍光体ＰＨにおいて励起して得られた可視光の波長の光を透過させ、蛍光体ＰＨを通過した励起波長の光を蛍光体ＰＨ側に反射して発光効率を高めることを目的とするフィルタであるため、本発明の蛍光発光装置の出力光の特性は、図１０，図１１の特性と図１２の特性とを重ね合わせによって得られるものではない。
【０１２１】
次に、本発明の更に別の態様について図１３〜図１７を用いて説明する。白色をＲ，Ｇ，Ｂの３波長の組み合わせで実現する場合、各波長帯は、主ピークに加えて側波長域にサブピークを含む場合がある。
【０１２２】
図１３（ａ）は、３波長型の光源に用いる、Ｒ，Ｇ，Ｂの各波長の一例を示し、図１３（ｂ）がこれら波長帯により形成されるスペクトル例を示している。なお、ここでは、図１３は、３波長型の光源の各波長の関係を説明するために模式的に示したものであり、必ずしも実際の波長を示すものではない。
【０１２３】
図１３（ａ）では、Ｒ，Ｇ，Ｂの３波長において、Ｇの波長スペクトルが主ピークＧＰの側波長域にサブピークＳＰ１，ＳＰ２を含む例を示している。図１３（ｂ）に示すように、３波長型の光源で得られるスペクトルは、所望とするＲ，Ｇ，Ｂの各ピークＲＰ，ＧＰ，ＢＰの加えてサブピークＳＰ１，ＳＰ２を有することになる。このサブピークＳＰ１，ＳＰ２の存在によって、光源から得られる発光はスペクトルの設計値からずれることになり、設計した機能の発揮に支障が生じるおそれがある。
【０１２４】
そこで、本発明の蛍光発光装置の光路上に、所定波長域の光を通過させないノッチフィルタを設け、このノッチフィルタによってサブピークを除去する。
【０１２５】
図１４は、本発明の蛍光発光装置に適用するノッチフィルタの波長域を説明するための図である。なお、ここでは、Ｇの波長スペクトルの両側波長域に含まれるサブピークＳＰ１，ＳＰ２を除去する例について示しているが、他の波長スペクトルにサブピークが含まれる場合であっても同様とすることができる。
【０１２６】
この両側波長域に含まれるサブピークＳＰ１，ＳＰ２の除去は、何れか一方のサブピークあるいは両方のサブピークとすることができる。図１４（ａ）はＧの波長の主ピークＧＰの両側波長域の２つのサブピークを２つのノッチフィルタＮＦ１，ＮＦ２で除去する例を示し、図１４（ｂ）はＧの波長の主ピークＧＰの短波長側のサブピークＳＰ１をノッチフィルタＮＦ１で除去する例を示し、図１４（ｂ）はＧの波長の主ピークＧＰの長波長側のサブピークＳＰ２をノッチフィルタＮＦ２で除去する例を示している。
【０１２７】
なお、図１４で示すノッチフィルタのフィルタ特性は、サブピークを除去するノッチフィルタ特性を説明するものであり、実際のノッチフィルタのフィルタ特性とは異なるものである。
【０１２８】
本発明の蛍光発光装置においてノッチフィルタを設ける構成の一例について、図１５を用いて説明する。なお、図１５は、前記した図２の透過型の構成を例とするものである。
【０１２９】
本発明の蛍光発光装置において、ノッチフィルタは蛍光体で発生したＲＧＢの光が外部に向かう光路上に設ける。ノッチフィルタの光路上に配置位置は複数の形態とすることができる。
【０１３０】
図１５（ａ）に示す形態は、ノッチフィルタの光路上の一配置例を示すものであり、低域通過フィルタＦＢに設ける構成例である。ここで、ノッチフィルタＮＦは、低域通過フィルタＦＢの一方の面あるいは両面に設けることができる。
【０１３１】
また、図１５（ｂ）に示す形態は、ノッチフィルタの光路上の他の配置例を示すものであり、蛍光体と低域通過フィルタＦＢとの間に設ける構成例である。ここで、ノッチフィルタＮＦは、石英基板面の一方の面あるいは両面に設けることができる。
【０１３２】
上記した各形態において、ノッチフィルタＮＦは、前記した各フィルタ構成と同様に誘電体多層膜によって形成することができる。
【０１３３】
図１６，図１７に、本発明のノッチフィルタＮＦの特性の一設計例を示す。
【０１３４】
図１６に示すノッチフィルタＮＦの特性は、前記したノッチフィルタＮＦ１とＮＦ２を有する例であり、ほぼ４７０ｎｍ〜５００ｎｍの波長域（ノッチフィルタＮＦ１の相当）と、５７０ｎｍ〜６００ｎｍの波長域（ノッチフィルタＮＦ２に相当）においてほぼ０％の透過率を示し、この波長域に含まれるサブピークを除去する。
【０１３５】
図１６に示すノッチフィルタＮＦの特性は、前記したノッチフィルタＮＦ１を有する例であり、ほぼ４７０ｎｍ〜５００ｎｍの波長域においてほぼ０％の透過率を示し、この波長域に含まれるサブピークを除去する。
【０１３６】
以上、本発明の蛍光発光装置について、好ましい実施形態を示して説明したが、本発明に係る蛍光発光装置は、上述した実施形態にのみ限定されるものではなく、本発明の範囲で種々の変更実施が可能であることは言うまでもない。 
【図面の簡単な説明】
【０１３７】
【図１】本発明の蛍光発光装置による発光を説明するための概略図である。
【図２】本発明の蛍光発光装置を構成する透過型のフィルタ構成を説明するための図である。
【図３】本発明の蛍光発光装置を構成する反射型のフィルタ構成を説明するための図である。
【図４】本発明の蛍光発光装置の光学帯域通過フィルタＦＡのフィルタ特性を示す図である。
【図５】本発明の蛍光発光装置の光学低域通過フィルタＦＢのフィルタ特性を示す図である。
【図６】本発明の透過型の蛍光発光装置の構成例を示す図である。
【図７】本発明の蛍光発光装置が備える光学フィルタおよび蛍光体の構成例を説明するための図である。
【図８】本発明の透過型の蛍光発光装置の他の構成例を示す図である。
【図９】本発明の反射型の蛍光発光装置の構成例を示す図である。
【図１０】本発明の光学帯域通過フィルタＦＡが備える低域通過フィルタＦ１の特性例である。
【図１１】本発明の光学帯域通過フィルタＦＡが備える高域通過フィルタＦ２の特性例である。
【図１２】本発明の光学低域通過フィルタＦＢの特性例である。
【図１３】３波長型の光源の各波長のスペクトル例である。
【図１４】本発明の蛍光発光装置に適用するノッチフィルタの波長域を説明するための図である。
【図１５】本発明の蛍光発光装置のノッチフィルタを備える構成の一例を説明するための図である。
【図１６】本発明のノッチフィルタＮＦの特性の一設計例である。
【図１７】本発明のノッチフィルタＮＦの特性の一設計例である。
【符号の説明】
【０１３８】
１  蛍光発光装置
２  半導体発光素子
３  支持部
４  リード部
５，６  接点
７，８ ワイヤ
９  ゲッター
１０  気密容器
１１  基板
１２  ケーシング
１３  窓部
１４  内部空間
２１，２１ａ，２１ｂ，２１ｃ  ゲッター
ＦＡ  光学帯域通過フィルタ
ＦＢ  光学低域通過フィルタ
Ｆ１  低域通過フィルタ
Ｆ２  高域通過フィルタ
ＰＨ  蛍光体
【図１】
2008010518.tif 000003
【図２】
2008010518.tif 000004
【図３】
2008010518.tif 000005
【図４】
2008010518.tif 000006
【図５】
2008010518.tif 000007
【図６】
2008010518.tif 000008
【図７】
2008010518.tif 000009
【図８】
2008010518.tif 000010
【図９】
2008010518.tif 000011
【図１０】
2008010518.tif 000012
【図１１】
2008010518.tif 000013
【図１２】
2008010518.tif 000014
【図１３】
2008010518.tif 000015
【図１４】
2008010518.tif 000016
【図１５】
2008010518.tif 000017
【図１６】
2008010518.tif 000018
【図１７】
2008010518.tif 000019